(57)【要約】  【課題】引出し装置を備えた冷蔵庫に関し、ガタツキの少ない高品位かつ荷重を加えても操作力の小さい使い勝手の良い引出しを有する冷蔵庫を提供する。  【解決手段】レール部材３２は固定レール３２ａと、移動レール３２ｂとを有し、固定レール３２ａと移動レール３２ｂとは予め組み込まれた状態で構成され、移動レール３２ｂと扉２９、３０に固定した扉支持部材３３を固定することにより、それぞれの扉２９、３０の位置規制がさらに確実なものになり、扉２９、３０の位置ずれや取付け不良を抑制し組立作業の信頼性向上を図り、引出しの操作力を低減することができる。これにより冷蔵庫１８の使い勝手の向上を図ることができる。【選択図】図２
2006038246.tif 000002
【特許請求の範囲】
【請求項１】
内箱と、外箱と、前記内箱と外箱間に充填した発泡断熱材とよりなる前面開口部を有する断熱箱体と、前記断熱箱体内に構成された貯蔵室の内部に備えた容器と、前記貯蔵室に備えられ前記容器を前後に移動可能とするレール部材と、内板と外板と前記内板と外板間に充填した発泡断熱材とからなる扉と、前記扉を支持する扉支持部材とからなり、前記レール部材は予め組み込まれた固定レールと移動レールで構成され、前記レール部材は前記扉支持部材により前記扉と連結したことを特徴とする冷蔵庫。
【請求項２】
扉支持部材と移動レールを固定したことを特徴とする請求項１に記載の冷蔵庫。
【請求項３】
移動レールに扉支持部材を上方より嵌め込んで固定したことを特徴とする請求項１または２に記載の冷蔵庫。
【請求項４】
扉支持部材は線膨張率が１．０〜３．０×１０−６ｃｍ／ｃｍ・℃としたことを特徴とする請求項１から３のいずれか一項に記載の冷蔵庫。
【請求項５】
扉支持部材は熱伝導率が０．１〜０．２Ｗ／ｍ・Ｋとしたことを特徴とする請求項１から４のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は、従来の冷蔵庫の引出し装置の要部断面図である。図８は、従来の冷蔵庫の引出し装置の断面図である。従来技術の冷蔵庫の引出し装置１０は、冷蔵庫本体前面の開閉自在の扉１と、この扉裏面左右に一端を固定したフレーム２と、後端を連結した連結フレーム８と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム８に載置された庫内ケース７で構成される。また、フレーム側面９は平面であり、固定レール５の溝部１１も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部８に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム８と、これらに載置された庫内ケース７と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取り付けばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態構成し、その後、容器をレール部材に支持したものである。
【００１０】
これによって固定レールと移動レールとのクリアランスを小さくすることができ、ガタツキの少ない高品位な引出しを構成することができるとともに引出しの操作力を低減することができる。
【発明の効果】
【００１１】
本発明の冷蔵庫は、ガタツキが小さく、滑らかに引出しを開閉することができ、高品位で使い勝手の良い引出し収納を構成することができる。
【発明を実施するための最良の形態】
【００１２】
請求項１に記載の発明は、内箱と、外箱と、前記内箱と外箱間に充填した発泡断熱材とよりなる前面開口部を有する断熱箱体と、前記断熱箱体内に構成された貯蔵室の内部に備えた容器と、前記貯蔵室に備えられ前記容器を前後に移動可能とするレール部材と、内板と外板と前記内板と外板間に充填した発泡断熱材とからなる扉と、扉を支持する扉支持部材とからなり、前記レール部材は予め組み込まれた固定レールと移動レールで構成され、前記レール部材は扉支持部材により扉と連結したことものであり、固定レールと移動レールとを予め組み込んだ状態のレール部材を適用することにより固定レールと移動レールとのクリアランスを小さくすることができ、ガタツキが少なく引出しの操作力を低減した高品位な引出しを構成することができる。
【００１３】
請求項２に記載の発明は、請求項１に記載の発明において、扉支持部材と移動レールを固定したものであり、固定することにより組立作業の信頼性向上を図ることができる。
【００１４】
請求項３に記載の発明は、請求項１または２に記載の発明において、移動レールに扉支持部材を上方より嵌め込んで固定したものであり、更に組立作業の信頼性向上を図ることができる。
【００１５】
請求項４に記載の発明は、請求項１から３のいずれか一項に記載の発明において、扉支持部材は線膨張率が１．０〜３．０×１０−６ｃｍ／ｃｍ・℃としたものであり、扉支持部材を線膨張率が小さい材料で形成することにより、冷蔵庫の冷却運転時に扉支持部材が収縮することによる操作性への影響を低減できるのでレール部材の操作信頼性を向上することができる。
【００１６】
請求項５に記載の発明は、請求項１から４のいずれか一項に記載の発明において、扉支持部材は熱伝導率が０．１〜０．２Ｗ／ｍ・Ｋとしたものであり、扉支持部材を熱伝導率が小さい材料で形成することにより、扉側からの熱伝達による庫内やレール部材への熱リーク抑制し、結露の防止や消費電力の増加を抑制できる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の側断面図、図２は図１のＡ−Ａ断面図、図３は同実施の形態の冷蔵庫の概略組立図、図４は同実施の形態の冷蔵庫のレール部材の分解組立図、図５は同実施の形態の冷蔵庫のレール部材の断面図である。
【００１９】
図１から図５において、冷蔵庫１８の断熱箱体１９は内箱２０と外箱２１との間に発泡断熱材２２を充填したものであり、前面開口部１９ａを有し、仕切壁２３、２３ａ、２３ｂにより、上部より冷蔵室２４、切替室２５、野菜室２７、冷凍室２８を形成している。
【００２０】
また、仕切壁２３ｂの両側面は開放部３８を有し、仕切壁２３ｂ内部には断熱箱体１９と同様に発泡断熱材２２が充填されている。
【００２１】
また、仕切壁２３ｂの上部に配置する野菜室２７は冷却温度が５℃程度、下部に配置する冷凍室２８は冷却温度が−２０℃程度というように仕切壁２６を介して上下に異なる温度帯に設定されている。
【００２２】
また、野菜室扉２９、冷凍室扉３０は内板３５と外板３６との間に発泡断熱材３７を充填したものである。野菜室２７と冷凍室２８とはそれぞれ前面開口部１９ａを野菜室扉２９と冷凍室扉３０にて閉塞され、野菜室扉２９および冷凍室扉３０は、それぞれの扉に固定された扉支持部材３３と、それぞれの貯蔵室に固定されたレール部材３２により連結され前後方向に引出し摺動可能となっている。
【００２３】
レール部材３２は、固定レール３２ａと移動レール３２ｂと、固定レール３２ａと移動レール３２ｂとの間に備えられた中間走行レール３２ｃと、中間走行レール３２ｃと固定レール３２ａおよび移動レール３２ｂとの係合を支持する回転支持部材である複数のベアリング３２ｄとからなり、固定レール３２ａと移動レール３２ｂと中間走行レール３２ｃとベアリング３２ｄとを予め組み込んだ状態で固定レール３２ａをそれぞれ発泡断熱材３７内に埋設された補強部材３１に固定している。
【００２４】
なお、固定レール３２ａと移動レール３２ｂと、固定レール３２ａと移動レール３２ｂとの間にベアリング３２ｄを介して配設した中間走行レール３２ｃとを有するレール部材３２は予め組み込んだものであり、それぞれのレール間のクリアランスを最小限に設定することができる。
【００２５】
また、扉支持部材３３と移動レール３２ｂとをビス３４により固定することにより移動レール３２ｂの固定が安定したものとなり、レール部材３２の位置規制が確実なものになる。
【００２６】
また、移動レール３２ｂに扉支持部材３３を上方より嵌め込んで固定することにより組立て性が向上する。
【００２７】
また、扉支持部材３３は線膨張率が１．０〜３．０×１０−６ｃｍ／ｃｍ・℃である材料にて形成されることが望ましい。
【００２８】
また、扉支持部材３３は熱伝導率が０．１〜０．２Ｗ／ｍ・Ｋである材料にて形成されることが望ましい。
【００２９】
以上のように構成された冷蔵庫について、以下その動作、作用を説明する。
【００３０】
まず、各貯蔵室ドアを手前に引出すと各貯蔵室の両側部に備えられた扉支持部材３３とレール部材３２の移動レール３２ｂと中間走行レール３２ｃとがベアリング３２ｄが回転することにより滑らかに手前側に摺動する。
【００３１】
それに伴い、扉支持部材３３に支持された容器３９も手前に引出され、容器３９内に収納された被冷却物の取出し及び新たな被冷却物の収納が可能となる。
【００３２】
以上のように本実施の形態においては固定レール３２ａと移動レール３２ｂとをあらかじめ組み込んだ状態のレール部材３２を用いることにより固定レール３２ａと移動レール３２ｂとのクリアランスを小さくすることができ、ガタツキの少ない高品位な引出しを構成することができる。また、クリアランスを小さくすることにより取り付けのばらつきも小さくできるので扉の取付け不具合による傾きや他のドアとの間隔の不均一化という外観不良も抑制することができる。これらの効果はレール部材３２の引出し代が大きいほど効果的である。また、固定レール３２ａと移動レール３２ｂとの間を回転支持部材であるベアリング３２ｄで支持することにより容器３９に荷重を加えた場合でも滑らかに移動レール３２ｂが移動できるので引出しの操作力を低減することができ、使い勝手の向上を図ることができる。また、レール部材３２の移動レール３２ｂと、扉に固定した扉支持部材３３をビス３４にて固定することによりそれぞれの扉の位置規制がさらに確実なものになり扉の位置ずれや取付け不良を抑制し組立作業の信頼性向上を図ることができる。
【００３３】
また、移動レール３２ｂに扉支持部材３３を上方より嵌め込んで固定することにより、更に組立作業性の向上を図ることができる。
【００３４】
また、扉支持部材３３の線膨張率を１．０〜３．０×１０−６ｃｍ／ｃｍ・℃とした線膨張率が小さい材料で形成することにより、冷蔵庫１８の運転時に扉支持部材３３が収縮することによる操作性への影響を低減できるので操作信頼性を向上することができる。
【００３５】
また、扉支持部材３３の熱伝導率を０．１〜０．２Ｗ／ｍ・Ｋとしたので熱伝導率が小さい材料で形成することにより、扉側からの熱伝達による庫内やレール部材への熱リーク抑制し、結露の防止や消費電力の増加を抑制できる。
【００３６】
また、扉支持部材３３は線膨張率が１．０〜３．０×１０−６ｃｍ／ｃｍ・℃、熱伝導率が０．１〜０．２Ｗ／ｍ・Ｋである材料としたが、一般的には線膨張率に関しては金属類が１．０〜３．０×１０−６ｃｍ／ｃｍ・℃で樹脂類は１．０〜１５．０×１０−５ｃｍ／ｃｍ・℃であり、熱伝導率は金属類が１．０〜４００．０Ｗ／ｍ・Ｋで樹脂類は０．１〜０．２Ｗ／ｍ・Ｋである。
【００３７】
従って、扉支持部材３３の材料としては冷蔵庫１８の運転時にレール部材３２の取付け位置精度が要求される場合には線膨張率の小さい金属類を使用し、結露の防止や熱リークによる消費電力の増加の抑制が要求される場合には熱伝導率の小さい樹脂類を使用することがのぞましい。
【００３８】
なお、本実施の形態では補強部材３１とレール部材３２と扉支持部材３３とを野菜室２７と冷凍室２８とで共通としたが、実使用の収納形態などによりそれぞれ貯蔵室別に違う材料で形成したものを使用するとさらにコスト低減、信頼性向上を図ることができる。
【００３９】
なお、本実施の形態では、野菜室２７と冷凍室２８にレール部材３２および扉支持部材３３を用いたもので説明したが、引出し容器を備えた貯蔵室に適宜適用できる。たとえば、野菜室２７の上部に位置する切替室２５や、切替室２５の横に併設した製氷室（図示せず）等に用いてもよい。
【産業上の利用可能性】
【００４０】
以上のように、本発明にかかる冷蔵庫は、ガタツキが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００４１】
【図１】本発明の実施の形態１における冷蔵庫の側断面図
【図２】同実施の形態の図１のＡ−Ａ断面図
【図３】同実施の形態の冷蔵庫の概略組立図
【図４】同実施の形態の冷蔵庫のレール部材の分解組立図
【図５】同実施の形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００４２】
１８  冷蔵庫
１９  断熱箱体
１９ａ  前面開口部
２０  内箱
２１  外箱
２２  発泡断熱材
２７、２８  貯蔵室
２９、３０  扉
３２  レール部材
３２ａ  固定レール
３２ｂ  移動レール
３３  扉支持部材
３５  内板
３６  外板
３７  発泡断熱材
３９  容器
【図１】
2006038246.tif 000003
【図２】
2006038246.tif 000004
【図３】
2006038246.tif 000005
【図４】
2006038246.tif 000006
【図５】
2006038246.tif 000007
【図６】
2006038246.tif 000008
【図７】
2006038246.tif 000009
【図８】
2006038246.tif 000010